(57)【要約】      （修正有）【課題】略三角形を含む略六角形の各頂点に入射部を設けた導光体をエレメントとして、頂点付近の光源との組合せによる平面照明装置ユニットから成り、それらの大きさや数量の変化により平面照明装置としての大きさや輝度等を変えるとともに、光源の熱をエレメント間から放熱できる平面照明装置を提供する。【解決手段】透明性を有した略六角形または略三角形の導光体２を各辺９で突合せ、各頂点位置を入射部１０として、環状に出射する光源５からなる平面照明ユニットを複数ケースまたは反射体２０を配して平面照明装置を構成する。【選択図】図１
2006324224.tif 000002
【特許請求の範囲】
【請求項１】
透明性を有した略六角形または略三角形の形状を成し、各六つまたは各三つの頂点位置に光を導く入射部を有し、該入射部に略直角に交わる表面部または／および裏面部から該入射部から導いた光を出射することを特徴とする導光体。
【請求項２】
前記導光体の入射部は、平面状または円弧状であることを特徴とする請求項１記載の導光体。
【請求項３】
前記導光体は、表面部または／および裏面部に光偏向要素を設けることを特徴とする請求項１記載の導光体。
【請求項４】
載置面に対して略直角に環状に放射する光源と、透明性を有した略六角形または略三角形の形状を成し、各六つまたは各三つの頂点位置に前記光源からの光を導く入射部を有し、該入射部に略直角に交わる表面部または／および裏面部から該入射部から導いた光を出射する導光体とから成ることを特徴とする平面照明装置ユニット。
【請求項５】
載置面に対して略直角に環状に放射する光源と、透明性を有した略六角形または略三角形の形状を成し、各六つまたは各三つの頂点位置に前記光源からの光を導く入射部を有し、該入射部に略直角に交わる表面部または／および裏面部から該入射部から導いた光を出射する導光体とから成る平面照明装置ユニットを複数用いて、前記光源を少なくとも２つの前記導光体の共通光源とし、前記導光体の略六角形または略三角形の辺どうしを向かい合わせに配置するとともに前記光源の上面と前記導光体の辺どうしを向かい合わせた位置に前記導光体の出射面側に対向する２つの入射端面部とこれら前記入射端面部の反対側方向に出射面を有する副導光体とを具備することを特徴とする平面照明装置。
【請求項６】
前記副導光体は、中心部付近で１２０度に曲げられ２方向に伸びる出射面または中心部付近で１２０度に曲げられ３方向に伸びる出射面と、前記出射面の反対側に前記出射面よりも小さい同形または線状の裏面を有し、前記出射面の反対側の前記裏面から外側に広がる位置に２つまたは３つの入射面を有し、前記出射面と前記入射面とを外側の傾斜側面と前記裏面と接続した内側の傾斜側面とで接続し、略逆Ｖ字状の２つまたは３つの側端部を有することを特徴とする請求項５記載の平面照明装置。
【請求項７】
前記請求項５に、さらに略三角形および／または略台形の頂点位置に前記光源からの光を導く入射部を有した第２の導光体を具備し、全体の装置姿が四角形になることを特徴とする請求項５記載の平面照明装置。
【請求項８】
前記副導光体の前記内側の傾斜側面は、前記入射面に対して１３５度の角度を成すことを特徴とする請求項５記載の平面照明装置。
【請求項９】
前記副導光体の前記裏面は、反射性を有することを特徴とする請求項５記載の平面照明装置。
【請求項１０】
前記副導光体および前記第２の導光体は、表面部または／および裏面部に光偏向要素を設けることを特徴とする請求項５記載の平面照明装置。
【請求項１１】
前記第２の導光体の入射部は、平面状または円弧状であることを特徴とする請求項６記載の平面照明装置。
【請求項１２】
前記導光体、副導光体および第２の導光体が微小に湾曲し、全体の装置姿が湾曲状になることを特徴とする請求項５記載の平面照明装置。
【請求項１３】
前記光源は、前記導光体の前記略六角形または前記略三角形の各頂点位置に赤色発光、青色発光、緑色発光の各発光色の光源を順に配置することを特徴とする請求項５記載の平面照明装置。
【請求項１４】
前記光源は、前記導光体の前記略六角形または前記略三角形の各頂点位置に赤色発光、青色発光、緑色発光の各発光色の光源で平面照明装置全体の色温度を調整して配置することを特徴とする請求項５記載の平面照明装置。
【請求項１５】
前記光源は、前記導光体の前記略六角形の各頂点位置に赤色発光、青色発光、緑色発光の各発光色が隣り合わせに成らない様に、緑色発光の光源を３つ、赤色発光の光源を２つ、青色発光の光源を１つになるように配置して平面照明装置全体の色温度を調整することを特徴とする請求項５記載の平面照明装置。
【請求項１６】
前記光源は、前記導光体の前記略三角形を六つ組み合わせ略六角形を１セットとし、この六つの各頂点位置に赤色発光、青色発光、緑色発光の各発光色が隣り合わせに成らない様に、緑色発光の光源を３つ、赤色発光の光源を２つ、青色発光の光源を１つになるように配置するとともに六つの前記略三角形の中心に白色発光の光源を配置して平面照明装置全体の色温度を調整することを特徴とする請求項５記載の平面照明装置。
【発明の詳細な説明】
【技術分野】
【０００１】  本発明は、略六角形を有して各頂点に入射部を設けた導光体エレメントと、この導光体の六角形の頂点付近に備える光源との自由な組み合わせによる平面照明装置ユニットから成り、これら導光体の大きさや数量の変化により平面照明装置としての大きさや輝度、色温度等を自由に変えられ、大型画面や高速動画に高精細、高輝度の導光体および平面照明装置ユニットならびに平面照明装置に関する。
【背景技術】
【０００２】  従来の大型の平面照明装置は、単純に導光体自身を大型化し、光源からの光を最大限に利用する目的で２側面部や４側面部を入射端面部として用いたり、導光板の厚さを入射端面部から離れるほど薄くさせる、所謂楔形状に成形して、入射端面部から入射端面部の反対方向に向かう光のテーパーリークを利用する方法は知られている。
また、大画面用の大きな平面照明装置の場合には、導光体を用いずにケース内に冷陰極蛍光管の様な光源を並べ、上部に拡散板を用いた直下型にして大きな画面を得る方法は知られている。【０００３】  さらに、大型の平面照明装置を得るために、従来は矩形形状に分割して大型化する方法は知られている。
【特許文献１】特開平１０−２５３９５８  号公報
【特許文献２】特開２００２−０３２０２９  号公報
【発明の開示】
【発明が解決しようとする課題】
【０００４】  上述した従来の大画面用の導光体は、導光体自身を大きくし、光源からの光を最大限に利用する目的で２側面部や４側面部を入射端面部として用いる場合には、必要とする大きさに対応した導光体が必要となり、導光体の大きさが大きくなるに従い、導光体の自重により撓みの発生を回避や機械的強度を得るために、導光体の厚さを厚くしなければならず、そのため導光体の重量が大きくなるとともに取り扱いが大変不便であるとともに導光体での大きさには限界がある。
また導光板の厚さを入射端面部から離れるほど厚さを薄くさせる、所謂楔形状に成形して、入射端面部から入射端面部の反対方向に向かう光のテーパーリークを利用する方法では、厚さが薄くなる部分の強度や保持が困難であり、さらにこれら導光体を大きくした場合には輝度向上のために光源を増やすために入射端面部の厚さを厚くしなければならない課題がある。【０００５】  さらに、従来の大きな画面を得る大きな平面照明装置の場合に、導光体を用いずにケース内に冷陰極蛍光管の様な光源を並べ、上部に拡散板を用いた直下型にして大きな画面を得る方法では、大きな画面に対して輝度や色斑を無くす事が容易でなく、ＣＣＦＬ等の光源ではＣＣＦＬの大きさにも限界があり、半導体発光素子を用いた場合でも光源からの放熱が問題となるとともに直下型の平面照明装置の大きさに対応してケースの大きさを大きくしなければならない課題がある。
また、ある程度の大きさになると拡散板自身の重量で拡散板が撓んでしまう課題と、この撓みを回避するために支持部を設けると、支持部の影や支持部分の輝度の低下に課題がある。【０００６】  また、従来の大型の平面照明装置を得るために、従来は矩形形状に分割して大型化する方法では、分割処理をするのには優れているが、導光体の端部である互いの隣接する境界部が線として目だってしまうとともに半導体発光素子を用いた場合の光源からの放熱が問題となる。
さらに、導光体の側面側に光源を設ける従来の平面証明装置の場合には、光源が側面部にあるため、導光体からの出射光が導光体の出射面に沿ったような光が多く出射する課題がある。【０００７】（発明の目的）
本発明は、上記のような課題を解決するためになされたもので、略三角形を含んだ略六角形を有して各頂点に入射部を設けた導光体をエレメントとして、この導光体の六角形の頂点付近に備える光源との自由な組み合わせによる平面照明装置ユニットから成り、これら導光体の大きさや数量の変化により平面照明装置としての大きさや輝度、色温度等を自由に変えられるとともに光源からの熱発生を導光体のエレメント間から放熱でき、大型画面や高速動画に高精細、高輝度の導光体および平面照明装置ユニットならびに平面照明装置を提供することにある。
【課題を解決するための手段】
【０００８】  本発明の請求項１に係る導光体は、透明性を有した略六角形または略三角形の形状を成し、各六つまたは各三つの頂点位置に光を導く入射部を有し、該入射部に略直角に交わる表面部または／および裏面部から該入射部から導いた光を出射することを特徴とする。【０００９】  請求項１に係る導光体は、透明性を有した略六角形または略三角形の形状を成し、各六つまたは各三つの頂点位置に光を導く入射部を有し、該入射部に略直角に交わる表面部または／および裏面部から該入射部から導いた光を出射するので、略六角形または略三角形の導光体を複数用いて自由な大きさや形状を形成することができ、一つの光源で三つの略六角形の導光体または六つの略三角形の導光体に共有することができる。【００１０】  また、請求項２に係る導光体は、入射部を平面状または円弧状であることを特徴とする。【００１１】  請求項２に係る導光体は、入射部を平面状または円弧状であるので、小さな導光体の場合には円弧状の入射部を用い、導光体が大きな場合には平面状の入射部を用いたり、導光体が略六角形の形状の場合には円弧状の入射部を用い、導光体が略三角形の形状の場合には平面状の入射部を用いることによって光源からの光を無駄なく導光体内に導くことができる。【００１２】  さらに、請求項３に係る導光体は、表面部または／および裏面部に光偏向要素を設けることを特徴とする。【００１３】  請求項３に係る導光体は、表面部または／および裏面部に光偏向要素を設けるので、光偏向要素に達した光は光偏向要素によって屈折したり反射したりして表面部や裏面部から導光体内に存在する光を外部に出射することができる。【００１４】  また、請求項４に係る平面照明装置ユニットは、載置面に対して略直角に環状に放射する光源と、透明性を有した略六角形または略三角形の形状を成し、各六つまたは各三つの頂点位置に光源からの光を導く入射部を有し、該入射部に略直角に交わる表面部または／および裏面部から該入射部から導いた光を出射する導光体とから成ることを特徴とする。【００１５】  請求項４に係る平面照明装置ユニットは、載置面に対して略直角に環状に放射する光源と、透明性を有した略六角形または略三角形の形状を成し、各六つまたは各三つの頂点位置に光源からの光を導く入射部を有し、該入射部に略直角に交わる表面部または／および裏面部から該入射部から導いた光を出射する導光体とから成るので、平面照明装置ユニットを複数用いて自由な大きさや形状を形成することができ機能性を有したユニットである。【００１６】  さらに、請求項５に係る平面照明装置は、載置面に対して略直角に環状に放射する光源と、透明性を有した略六角形または略三角形の形状を成し、各六つまたは各三つの頂点位置に光源からの光を導く入射部を有し、該入射部に略直角に交わる表面部または／および裏面部から該入射部から導いた光を出射する導光体とから成る平面照明装置ユニットを複数用いて、光源を少なくとも２つの導光体の共通光源とし、導光体の略六角形または略三角形の辺どうしを向かい合わせに配置するとともに光源の上面と導光体の辺どうしを向かい合わせた位置に導光体の出射面側に対向する２つの入射端面部とこれら入射端面部の反対側方向に出射面を有する副導光体とを具備することを特徴とする。【００１７】  請求項５に係る平面照明装置は、載置面に対して略直角に環状に放射する光源と、透明性を有した略六角形または略三角形の形状を成し、各六つまたは各三つの頂点位置に光源からの光を導く入射部を有し、該入射部に略直角に交わる表面部または／および裏面部から該入射部から導いた光を出射する導光体とから成る平面照明装置ユニットを複数用いて、光源を少なくとも２つの導光体の共通光源とし、導光体の略六角形または略三角形の辺どうしを向かい合わせに配置するとともに光源の上面と導光体の辺どうしを向かい合わせた位置に導光体の出射面側に対向する２つの入射端面部とこれら入射端面部の反対側方向に出射面を有する副導光体とを具備するので、光源からの出射光が導光体の入射部に向かい十分導光体内に導かれ、略六角形または略三角形の導光体を複数用いて自由な大きさや形状を形成することができ、一つの光源で三つの略六角形の導光体または六つの略三角形の導光体に共有することができるとともに副導光体によって隣り合う導光体のギャップを隣り合う各導光体からの出射光を導き、異なる発光色の出射光を混合して出射し、隣り合う導光体のギャップを目立たなくするとともに光源からの熱等を隣り合う導光体のギャップから放出することができる。【００１８】  さらに、請求項６に係る平面照明装置は、副導光体が中心部付近で１２０度に曲げられ２方向に伸びる出射面または中心部付近で１２０度に曲げられ３方向に伸びる出射面と、出射面の反対側に出射面よりも小さい同形または線状の裏面を有し、出射面の反対側の裏面から外側に広がる位置に２つまたは３つの入射面を有し、出射面と入射面とを外側の傾斜側面と裏面と接続した内側の傾斜側面とで接続し、略逆Ｖ字状の２つまたは３つの側端部を有することを特徴とする。【００１９】  請求項６に係る平面照明装置は、副導光体が中心部付近で１２０度に曲げられ２方向に伸びる出射面または中心部付近で１２０度に曲げられ３方向に伸びる出射面と、出射面の反対側に出射面よりも小さい同形または線状の裏面を有し、出射面の反対側の裏面から外側に広がる位置に２つまたは３つの入射面を有し、出射面と入射面とを外側の傾斜側面と裏面と接続した内側の傾斜側面とで接続し、略逆Ｖ字状の２つまたは３つの側端部を有するので、２方向に１２０度に曲げられ副導光体は、略六角形から組み合わせて成る平面照明装置の場合には、隣り合う３つの略六角形の１つの略六角形の２辺と他の２つの各略六角形の１辺および各略六角形の３つの入射部を、また略三角形から組み合わせて成る平面照明装置の場合には、隣り合う６つの略三角形の４つの各略三角形の１辺および各略三角形の６の入射部を網羅し、３方向に１２０度に曲げられ副導光体は、略六角形から組み合わせて成る平面照明装置の場合には、隣り合う３つの略六角形の各２辺および各略六角形の３つの入射部を、また略三角形から組み合わせて成る平面照明装置の場合には、隣り合う６つの略三角形の各１辺が互いに向かい合う３つの組および隣り合う６つの略三角形の入射部を網羅することができる。【００２０】  また、請求項７に係る平面照明装置は、平面照明装置ユニットに、���らに略三角形および／または略台形の頂点位置に光源からの光を導く入射部を有した第２の導光体を具備し、全体の装置姿が四角形になることを特徴とする。【００２１】  請求項７に係る平面照明装置は、平面照明装置ユニットに、さらに略三角形および／または略台形の頂点位置に光源からの光を導く入射部を有した第２の導光体を具備し、全体の装置姿が四角形になるので、略六角形の導光体を組み合わせて隣り合う２つの略六角形の導光体の共有する１つの頂点と間隔を有した２つの頂点との間を結んだ略三角形部分と、隣り合う３つの略六角形の導光体の互いに２つの略六角形の導光体の共有する２つの頂点と間隔を有した２つの頂点との間を結んだ略台形部分とに略三角形や略台形を備えて略六角形を組み合わせた平面照明装置ユニットに凸凹の無い様にすることができる。【００２２】  さらに、請求項８に係る平面照明装置は、副導光体の内側傾斜面を入射面に対して１３５度の角度を成すことを特徴とする。【００２３】  請求項８に係る平面照明装置は、副導光体の内側傾斜面を入射面に対して１３５度の角度を成すので、副導光体の内側に導光体の出射面から出射した光を傾斜面で反射させ再度対向する傾斜面で反射させて、再度導光体に光を戻すことができる。【００２４】  また、請求項９に係る平面照明装置は、副導光体の裏面が反射性を有することを特徴とする。【００２５】  請求項９に係る平面照明装置は、副導光体の裏面が反射性を有するので、光源部分の位置では光源からの漏れ光が直接上方に出射されてしまうのを反射して、導光体方向に光を戻す。【００２６】  さらに、請求項１０に係る平面照明装置は、副導光体および第２の導光体の表面部または／および裏面部に光偏向要素を設けることを特徴とする。【００２７】  請求項１０に係る平面照明装置は、副導光体および第２の導光体の表面部または／および裏面部に光偏向要素を設けるので、副導光体によって隣接する導光体の出射面からの光を副導光体の入射面から副導光体内に導き、光偏向要素によって屈折や反射等を行って副導光体の表面部から光を出射して隣接する導光体の輪郭部分を認識せずに副導光体の表面部から出射光を得ることができる。
また、第２の導光体に設けた光偏向要素によって光源からの光を屈折や反射等を行って第２の導光体の表面部や裏面部から光を出射することができる。【００２８】  また、請求項１１に係る平面照明装置は、第２の導光体の入射部が平面状または円弧状であることを特徴とする。【００２９】  請求項１１に係る平面照明装置は、第２の導光体の入射部が平面状または円弧状であるので、使用する略六角形や略三角形の導光体が小さな場合には円弧状の入射部を用い、略六角形や略三角形の導光体が大きな場合には平面状の入射部を用いることによって導光体に対応したバランスの良い光源からの光を無駄なく第２の導光体内に導くことができる。【００３０】  さらに、請求項１２に係る平面照明装置は、導光体、副導光体および第２の導光体が微小に湾曲し、全体の装置姿が湾曲状になることを特徴とする。【００３１】  請求項１２に係る平面照明装置は、導光体、副導光体および第２の導光体が微小に湾曲し、全体の装置姿が湾曲状になるので、平面照明装置を平面のみでなく立体的にすることができる。【００３２】  また、請求項１３係る平面照明装置は、光源を導光体の略六角形または略三角形の各頂点位置に赤色発光、青色発光、緑色発光の各発光色の光源を順に配置することを特徴とする。【００３３】  請求項１３係る平面照明装置は、光源を導光体の略六角形または略三角形の各頂点位置に赤色発光、青色発光、緑色発光の各発光色の光源を順に配置するので、容易に拡張することができるとともに全体の平面照明装置として白色光を出射することができる。【００３４】  さらに、請求項１４に係る平面照明装置は、光源を導光体の略六角形または略三角形の各頂点位置に赤色発光、青色発光、緑色発光の各発光色の光源で平面照明装置全体の色温度を調整して配置することを特徴とする。【００３５】  請求項１４に係る平面照明装置は、光源を導光体の略六角形または略三角形の各頂点位置に赤色発光、青色発光、緑色発光の各発光色の光源で平面照明装置全体の色温度を調整して配置するので、平面照明装置全体の色のコントラストや視野分布による平面照明装置の中心や縁部等の微妙な色調をコントロールすることができる。【００３６】  また、請求項１５係る平面照明装置は、光源を導光体の略六角形の各頂点位置に赤色発光、青色発光、緑色発光の各発光色が隣り合わせに成らない様に、緑色発光の光源を３つ、赤色発光の光源を２つ、青色発光の光源を１つになるように配置して平面照明装置全体の色温度を調整することを特徴とする。【００３７】  請求項１５係る平面照明装置は、光源を導光体の略六角形の各頂点位置に赤色発光、青色発光、緑色発光の各発光色が隣り合わせに成らない様に、緑色発光の光源を３つ、赤色発光の光源を２つ、青色発光の光源を１つになるように配置して平面照明装置全体の色温度を調整するので、一般的な赤色発光、青色発光、緑色発光の光源を用いても白色としての色温度を８０００ケルビン程度にコントロールすることができる。【００３８】  さらに、請求項１６に係る平面照明装置は、光源を導光体の略三角形を六つ組み合わせ略六角形を１セットとし、この六つの各頂点位置に赤色発光、青色発光、緑色発光の各発光色が隣り合わせに成らない��に、緑色発光の光源を３つ、赤色発光の光源を２つ、青色発光の光源を１つになるように配置するとともに六つの略三角形の中心に白色発光の光源を配置して平面照明装置全体の色温度を調整することを特徴とする。【００３９】  請求項１６に係る平面照明装置は、光源を導光体の略三角形を六つ組み合わせ略六角形を１セットとし、この六つの各頂点位置に赤色発光、青色発光、緑色発光の各発光色が隣り合わせに成らない様に、緑色発光の光源を３つ、赤色発光の光源を２つ、青色発光の光源を１つになるように配置するとともに六つの略三角形の中心に白色発光の光源を配置して平面照明装置全体の色温度を調整するので、大きな略三角形を組み合わせた時など、赤色発光、青色発光、緑色発光等の混合光が白色になりずらい場合でも白色発光の光源で補正することができる。
【発明の効果】
【００４０】  以上のように、請求頁１に係る導光体は、透明性を有した略六角形または略三角形の形状を成し、各六つまたは各三つの頂点位置に光を導く入射部を有し、該入射部に略直角に交わる表面部または／および裏面部から該入射部から導いた光を出射するので、略六角形または略三角形の導光体を複数用いて自由な大きさや形状を形成することができ、一つの光源で三つの略六角形の導光体または六つの略三角形の導光体に共有することができるため機能的で導光体の略六角形や略三角形の大きさの調整により輝度のコントロールができるとともに光源の発色を赤色発光、青色発光、緑色発光等にすることにより白色光を斑なく出射することができ、さらに経済性や生産性に優れている。【００４１】  また、請求項２に係る導光体は、入射部を平面状または円弧状であるので、小さな導光体の場合には円弧状の入射部を用い、導光体が大きな場合には平面状の入射部を用いたり、導光体が略六角形の形状の場合には円弧状の入射部を用い、導光体が略三角形の形状の場合には平面状の入射部を用いることによって光源からの光を無駄なく導光体内に導くことができるために高輝度な出射光を得ることができるとともに光源からの光漏れが無い。【００４２】  さらに、請求項３に係る導光体は、表面部または／および裏面部に光偏向要素を設けるので、光偏向要素に達した光は光偏向要素によって屈折したり反射したりして表面部や裏面部から導光体内に存在する光りを外部に出射することができるため、明るい光を出射できるとともに異なった入射部から異なった発光色の光が導光体内部で屈折や反射によって完全に混合される、例えば赤色発光、青色発光、緑色発光の光を混合してクリアな白色光にすることができる。【００４３】  また、請求項４に係る平面照明装置ユニットは、載置面に対して略直角に環状に放射する光源と、透明性を有した略六角形の形状を成し、各六つの頂点位置に光源からの光を導く入射部を有し、該入射部に略直角に交わる表面部または／および裏面部から該入射部から導いた光を出射する導光体とから成るので、平面照明装置ユニットを複数用いて自由な大きさや形状を形成することができ機能性を有したユニットであるため、光源を中心として無限に広がりを持たせることができるので、大型の平面照明装置を簡易的、能動的に発展させることができる。【００４４】  さらに、請求項５に係る平面照明装置は、載置面に対して略直角に環状に放射する光源と、透明性を有した略六角形の形状を成し、各六つの頂点位置に光源からの光を導く入射部を有し、該入射部に略直角に交わる表面部または／および裏面部から該入射部から導いた光を出射する導光体とから成る平面照明装置ユニットを複数用いて、光源を少なくとも２つの導光体の共通光源とし、導光体の略六角形の辺どうしを向かい合わせに配置するとともに光源の上面と導光体の辺どうしを向かい合わせた位置に導光体の出射面側に対向する２つの入射端面部とこれら入射端面部の反対側方向に出射面を有する副導光体とを具備するので、光源からの出射光が導光体の入射部に向かい十分導光体内に導かれ、略六角形または略三角形の導光体を複数用いて自由な大きさや形状を形成することができ、一つの光源で三つの略��角形の導光体または六つの略三角形の導光体に共有することができるとともに副導光体によって隣り合う導光体のギャップを隣り合う各導光体からの出射光を導き、異なる発光色の出射光を混合して出射し、隣り合う導光体のギャップを目立たなくするとともに光源からの熱等を隣り合う導光体のギャップから放出することができるため、機能的で導光体の略六角形や略三角形の大きさの調整により輝度のコントロールができるとともに光源の発色を赤色発光、青色発光、緑色発光等にすることにより白色光を斑なく出射して見やすく、光源等を熱による劣化を防ぎ、さらに経済性や生産性に優れている。【００４５】  また、請求項６に係る平面照明装置は、副導光体が中心部付近で１２０度に曲げられ２方向に伸びる出射面または中心部付近で１２０度に曲げられ３方向に伸びる出射面と、出射面の反対側に出射面よりも小さい同形または線状の裏面を有し、出射面の反対側の裏面から外側に広がる位置に２つまたは３つの入射面を有し、出射面と入射面とを外側の傾斜側面と裏面と接続した内側の傾斜側面とで接続し、略逆Ｖ字状の２つまたは３つの側端部を有するので、２方向に１２０度に曲げられ副導光体は、略六角形から組み合わせて成る平面照明装置の場合には、隣り合う３つの略六角形の１つの略六角形の２辺と他の２つの各略六角形の１辺および各略六角形の３つの入射部を、また略三角形から組み合わせて成る平面照明装置の場合には、隣り合う６つの略三角形の４つの各略三角形の１辺および各略三角形の６の入射部を網羅し、３方向に１２０度に曲げられ副導光体は、略六角形から組み合わせて成る平面照明装置の場合には、隣り合う３つの略六角形の各２辺および各略六角形の３つの入射部を、また略三角形から組み合わせて成る平面照明装置の場合には、隣り合う６つの略三角形の各１辺が互いに向かい合う３つの組および隣り合う６つの略三角形の入射部を網羅することができるために、副導光体によって隣り合う導光体のギャップを隣り合う各導光体からの出射光を導き、異なる発光色の出射光を混合して出射し、隣り合う導光体のギャップを目立たなくすることができるとともに少ない部品エレメントで無限の広がりに構成組することができる。【００４６】  さらに、請求項７に係る平面照明装置は、平面照明装置ユニットに、さらに略三角形および／または略台形の頂点位置に光源からの光を導く入射部を有した第２の導光体を具備し、全体の装置姿が四角形になるので、略六角形の導光体を組み合わせて隣り合う２つの略六角形の導光体の共有する１つの頂点と間隔を有した２つの頂点との間を結んだ略三角形部分と、隣り合う３つの略六角形の導光体の互いに２つの略六角形の導光体の共有する２つの頂点と間隔を有した２つの頂点との間を結んだ略台形部分とに略三角形や略台形を備えて略六角形を組み合わせた平面照明装置ユニットに凸凹の無い様にすることができるために、外見から見やすく一般的な矩形形状に対応することができる。【００４７】  また、請求項８に係る平面照明装置は、副導光体の内側傾斜面を入射面に対して１３５度の角度を成すので、副導光体の内側に導光体の出射面から出射した光を傾斜面で反射させ再度対向する傾斜面で反射させて、再度導光体に光��戻すことができるために、光源からの光を効率良く利用できる。【００４８】  さらに、請求項９に係る平面照明装置は、副導光体の裏面が反射性を有するので、光源部分の位置では光源からの漏れ光が直接上方に出射されてしまうのを反射して、導光体方向に光を戻すので、平面照明装置全体として光源部分も均一に見栄えの良い出射光を得ることができる。【００４９】  また、請求項１０に係る平面照明装置は、副導光体および第２の導光体の表面部または／および裏面部に光偏向要素を設けるので、副導光体によって隣接する導光体の出射面からの光を副導光体の入射面から副導光体内に導き、光偏向要素によって屈折や反射等を行って副導光体の表面部から光を出射して隣接する導光体の輪郭部分を認識せずに副導光体の表面部から出射光を得ることができる。
また、第２の導光体に設けた光偏向要素によって光源からの光を屈折や反射等を行って第２の導光体の表面部や裏面部から光を出射することができる。
そのため平面照明装置全体から均一な出射光を得ることができるとともに外見から見やすく一般的な矩形形状に対応することができる。【００５０】  さらに、請求項１１に係る平面照明装置は、第２の導光体の入射部が平面状または円弧状であるので、使用する略六角形や略三角形の導光体が小さな場合には円弧状の入射部を用い、略六角形や略三角形の導光体が大きな場合には平面状の入射部を用いることによって導光体に対応したバランスの良い光源からの光を無駄なく第２の導光体内に導くことができるので、平面照明装置全体として均一な出射光を得ることができる。【００５１】  また、請求項１２に係る平面照明装置は、導光体、副導光体および第２の導光体が微小に湾曲し、全体の装置姿が湾曲状になるので、平面照明装置を平面のみでなく立体的にすることができ、例えば円筒状に作成することによってあらゆる角度の人々が見ることができ、さらに立方体的にすることによって、各面に異なる情報を提供できるマルチタイプの表示を可能にすることができる。【００５２】  さらに、請求項１３に係る平面照明装置は、光源を略六角形の各頂点位置に赤色発光、青色発光、緑色発光の各発光色の光源を順に配置するので、容易に拡張することができるとともに全体の平面照明装置として白色光を出射することができるので、製作時や修理時に間違える事無くでき作業性に優れている。【００５３】  また、請求項１４に係る平面照明装置は、光源を略六角形の各頂点位置に赤色発光、青色発光、緑色発光の各発光色の光源で平面照明装置全体の色温度を調整して配置するので、平面照明装置全体の色のコントラストや視野分布による平面照明装置の中心や縁部等の微妙な色調をコントロールすることができるので、実際の物の色調を忠実に再現することができる。【００５４】  請求項１５係る平面照明装置は、光源を導光体の略六角形の各頂点位置に赤色発光、青色発光、緑色発光の各発光色が隣り合わせに成らない様に、緑色発光の光源を３つ、赤色発光の光源を２つ、青色発光の光源を１つになるように配置して平面照明装置全体の色温度を調整するので、一般的な赤色発光、青色発光、緑色発光の光源を用いても白色としての色温度を８０００ケルビン程度にコントロールすることができるので、汎用性に優れコストの低減にも寄与することができる。【００５５】  請求項１６に係る平面照明装置は、光源を導光体の略三角形を六つ組み合わせ略六角形を１セットとし、この六つの各頂点位置に赤色発光、青色発光、緑色発光の各発光色が隣り合わせに成らない様に、緑色発光の光源を３つ、赤色発光の光源を２つ、青色発光の光源を１つになるように配置するとともに六つの略三角形の中心に白色発光の光源を配置して平面照明装置全体の色温度を調整するので、大きな略三角形を組み合わせた時など、緑色発光等の混合光が白色になりずらい場合でも白色発光の光源で補正することができるため大型化に対する制限を無くすことができる。
【発明を実施するための最良の形態】
【００５６】  以下、本発明の実施の形態を添付図面に基づいて説明する。
なお、本発明は、大型画面向きであり、  載置面に対して略直角に環状に放射する光源と、透明性を有した略六角形または略三角形の形状を成し、各六つまたは各三つの頂点位置に光源からの光を導く入射部からの光を光偏向要素を設けた表面部や裏面部から出射する導光体とから成る平面照明装置ユニットを複数用いることを基本とし、装置全体の姿が四角形になるように平面照明装置ユニットと同様に頂点入射部を有した略三角形や略台形等の第２の導光体を用いるとともに、これらの互いに向かい合わせた上位置に副導光体を設け導光体の輪郭部分を認識せずに出射光を得ることができ、光源の輝度や色調を調整することにより斑や見栄え視野角等をコントロールでき、大型の平面照明装置を簡易的、能動的に発展させることができ、さらに経済性や生産性に優れている平面照明装置を提供するものである。【００５７】  図１は、本発明に係る平面照明装置の略斜視図である。
図２は、本発明に係る平面照明装置の略正面視図である。
図３は、本発明に係る導光体の略正面図である。
図４は、本発明に係る平面照明ユニットの略正面視図である。
図５は、本発明に係る平面照明ユニットの略断面図である。
図６は、本発明に係る副導光体の略正面図および略断面図である。
図７は、本発明に係る副導光体の略断面での光の軌跡である。
図８は、本発明に係る第２の導光体の略正面図である。
図９は、本発明に係る平面照明装置の略部分図である。
図１０は、本発明に係る平面照明装置の略正面視図である。
図１１は、本発明に係る曲面照明装置の略正面視図である。
平面照明装置１は、図１および図２に示すように透明性を有した略六角形または略三角形の形状をした導光体２を各辺９で突合せ、これら各六つまたは三つの頂点位置を入射部１０として、これらの頂点位置に環状に出射する光源５からなる図４に示す平面照明ユニット３を複数ケースまたは反射体２０配して大きな１つの平面照明装置１を構成するものである。【００５８】  導光体２は、屈折率が１．４〜１．７程度の透明なアクリル樹脂（ＰＭＭＡ）やポリカーボネート（ＰＣ）等で略六角形形状を成し、各六つの頂点位置に光を導く入射部１０を有し、この入射部１０に略直角に交わる表面部７と裏面部８および辺（側面部）９からなるよう
に成形されている。【００５９】  また、導光体２は図３の図３ａ１に示すように入射部１０を平面状にした入射部１０ｂまたは図３の図３ａ２に示すように入射部１０を円弧状にした入射部１０である。【００６０】  さらに、導光体２は同様に図３に示すように導光体２ｂは略三角形形状を成し、各三つの頂点位置に光を導く入射部１０を有し、この入射部１０に略直角に交わる表面部７と裏面部８および辺（側面部）９からなるように成形されている。
また、同様に導光体２ｂは図３の図３ｂ１に示すように入射部１０を平面状にした入射部１０ｂまたは図３の図３ｂ２に示すように入射部１０を円弧状にした入射部１０である。【００６１】  これら入射部１０、入射部１０ｂは、例えば小さな導光体２等の場合には円弧状の入射部１０を用い、導光体２等が大きな場合には平面状の入射部１０ｂを用たり、また略六角形の形状の導光体２の場合には円弧状の入射部１０を用い、略三角形の形状の導光体２ｂの場合には平面状の入射部１０ｂを用いることによって光源５からの光を無駄なく導光体２，２ｂ等の内部に導くことができるために高輝度な出射光を得ることができる。【００６２】  さらに、図４に示すように六つの頂点位置に光を導く入射部１０を備えた略六角形形状の導光体２を互いに隣り合うように辺（側面部）９を接触するように配置し、その各頂点を突き合わせた位置にできた空間に載置面（ケースまたは反射体２０等）に対して略直角に環状に放射する光源５を設けた平面照明ユニット３を図２に示すように複数ケースまたは反射体２０に収納するようにした。【００６３】  また、これら六角形の導光体２からなる平面照明ユニット３を敷き詰めた時にケースまたは反射体２０等の周辺部分には、六角形の対向する頂点を結んだ六角形の導光体２を半分にした略台形した第２の導光体６ａと六角形の１つ飛んだ頂点を結んだ略三角形した（二等辺三角形）第２の導光体６ｂおよびケースまたは反射体２０等の４隅には略三角形した（直角三角形）第２の導光体６ｃを備えることによって大きな矩形形状の平面照明装置１を構成することができる。【００６４】  このように、略六角形の導光体２または略三角形の導光体２ｂを複数用いて自由な大きさや形状を形成することができ、一つの光源５で三つの略六角形の導光体２または六つの略三角形の導光体２ｂに共有することができるため機能的で略六角形の導光体２や略三角形の導光体２ｂの大きさの調整により輝度のコントロールをすることができる。【００６５】  ここで、図８に上記で説明をした第２の導光体６ａおよび６ｂならびに６ｃを示す。
第２の導光体６ａは、六角形の対向する頂点を結んだ六角形の導光体２を半分にした略台形の形状であり、他の２つの六角形の導光体２の辺（側面部）９と第２の導光体６ａの２つの辺（側面部）１８を接触させ、他の１つの六角形の導光体２の辺（側面部）９と第２の導光体６ａの辺（側面部）１９を接触させれば良く、第２の導光体６ａの辺（側面部）１７をケースまたは反射体２０等の周辺に向ければ良い。
第２の導光体６ｂは、六角形の１つ飛んだ頂点を結んだ略三角形した（二等辺三角形）形状であり、他の２つの六角形の導光体２の辺（側面部）９と第２の導光体６ｂの２つの辺（側面部）１８を接触させれば良く、第２の導光体６ｂの辺（側面部）１７をケースまたは反射体２０等の周辺に向ければ良い。
第２の導光体６ｃは、略三角形した（直角三角形）形状であり、他の１つの六角形の導光体２の辺（側面部）９と第２の導光体６ｃの１つの辺（側面部）１８を接触させれば良く、第２の導光体６ｃの２つの辺（側面部）１７をケースまたは反射体２０等の周辺に向ければ良い。【００６６】  また、導光体２と同様に入射部１０は、第２の導光体６ａは図８の図８ａ３に示すように入射部１０を平面状にした入射部１０ｂまたは図８の図８ａ２に示すように入射部１０を円弧状にした入射部１０である。
第２の導光体６ｂは図８の図８ｂ３に示すように入射部１０を平面状にした入射部１０ｂまたは図８の図８ｂ２に示すように入射部１０を円弧状にした入射部１０である。
第２の導光体６ｃは図８の図８ｃ３に示すように入射部１０を平面状にした入射部１０ｂまたは図８の図８ｃ２に示すように入射部１０を円弧状にした入射部１０である。【００６７】  尚、ここでは、略三角形形状の導光体２ｂを用いた平面照明ユニット３および平面照明装置１は省略するが、この導光体２ｂを６つ、各辺（側面部）９を互いに接触させたものが六角形の導光体２に一致する。
この場合には、ケースまたは反射体２０等の周辺部分には導光体２ｂを２分の１にした直角三角形の導光体や辺（側面部）９に等しい２等辺三角形を用いれば良い。【００６８】  さらに、導光体２、導光体２ｂ、第２の導光体６ａ、第２の導光体６ｂおよび第２の導光体６ｃ等の表面部７や裏面部８には、図示しないが微細な凸凹や溝等からなる光偏向要素を有している。
尚、この光偏向要素は微細な凸凹をグラデーションさせたドット、プリズム、ブラスト加工等多種の形状、方法によって施す。【００６９】  また、導光体２に入射した光は、次式に示すように屈折角γは０≦｜γ｜≦Ｓｉｎ−１（１／ｎ）を満たす範囲で導光体２内に進み、例えば一般の導光体２に使用されている樹脂材料であるアクリル樹脂の屈折率はｎ＝１．４９程度であるので、入射した光は屈折角γ＝±４２°の範囲にある。
また、屈折角γ＝±４２°の範囲内で導光体２内に入射した光は、導光体２と空気層（屈折率はｎ＝１）との境界面では、次式に示すようなＳｉｎα＝（１／ｎ）により臨界角を表すことができ、例えば一般の導光体２に使用されている樹脂材料であるアクリル樹脂の屈折率はｎ＝１．４９程度であるので、臨界角αはα＝４２°程度になる。【００７０】  以上のように、導光体２、導光体２ｂ、第２の導光体６ａ、第２の導光体６ｂおよび第２の導光体６ｃなどの入射部１０や入射部１０ｂから導光体２内に導かれた光は、表面部７や裏面部８に設けた光偏向要素に達した光は光偏向要素によって屈折したり反射したりして表面部７や裏面部８から導光体２、導光体２ｂ、第２の導光体６ａ、第２の導光体６ｂおよび第２の導光体６などの内に存在する光りを外部に出射することができる。【００７１】また、導光板２、２ｂ、第２導光板、６ａ、６ｂ、６ｃに屈折率の異なる微細な粒子を混入させてもよい。
この屈折率の異なる微細な粒子によって導光板２，２ｂ、第２導光板、６ａ、６ｂ、６ｃに入った光が屈折、反射等により、全体として散乱を起こすことによって輝度の向上及びＲ，Ｇ、Ｂ等の色光に対してよりよく混入することができ、例えばＲ、Ｇ、Ｂによる班の無い白色光を得ることができる。【００７２】  光源５は、図５に示すように基板上に載置した半導体発光素子からの光の出射方向に透明樹脂等で全体的に円弧形状２３をなし、その上方に同心の傾斜面部を内側面と外側面とに設けた内側傾斜面部２２と外側傾斜面部２１とを有する漏斗型の形状にモールド成形してある。【００７３】  さらに、光源５は、半導体発光素子からの光の一部を円弧形状２３の曲面で屈折し、略平行（基板に対して略直角方向）な環状（放射状）に出射して、光線Ｌ０２が導光体２の入射部１０に放射する。【００７４】  また、光源５は、半導体発光素子からの光の一部を漏斗型の内側傾斜面部２２で略平行（基板に対して略直角方向）な環状（放射状）に全反射して、光線Ｌ０１が導光体２の入射部１０に放射する。【００７５】  同様に、光源５は、半導体発光素子からの光の一部を漏斗型の外側傾斜面部２１で略平行（基板に対して略直角方向）な環状（放射状）に全反射して、光線Ｌ０３が導光体２の入射部１０に放射する。【００７６】  また、光源５に用いる半導体発光素子は、４元素化合物やＩｎＧａＡｌＰ系、ＩｎＧａＡｌＮ系、ＩｎＧａＮ系等の化合物の半導体チップ等の半導体発光素子９からなる高輝度発光素子からなり、略六角形形状の導光体２や略三角形形状の導光体２ｂおよび第２の導光体６ａ、導光体６ｂ、導光体６ｃなどの入射部１０や入射部１０ｂの近傍に各赤色発光半導体発光素子（Ｒ）、緑色発光半導体発光素子（Ｇ）および青色発光半導体発光素子（Ｂ）の単色光を配置する。【００７７】  さらに、光源５に用いる半導体発光素子は、白色光を１つの光として波長変換材料を用いて、例えば青色発光の半導体発光素子とこの青色発光の半導体発光素子によって励起し、黄色発光の蛍光材による黄色の発光色と青色の発光色との混合によって白色発光させたものでも良い。【００７８】  これら光源５を異なった入射部１０や１０ｂから異なった発光色の光が導光体２や２ｂ内部で屈折や反射によって完全に混合される、例えば赤色発光、青色発光、緑色発光の光を混合してクリアな白色光にすることができる。【００７９】  また、図１や図４には示さなかったが、図１０に示すように平面照明装置１は、光源５の上面と導光体２の辺９（側面部９）どうしを向かい合わせた位置に導光体２の出射面７（表面部７）側に対向する上部に副導光体４ａおよび副導光体４ｂを設ける。【００８０】  副導光体４ａおよび副導光体４ｂは、導光体２および導光体２ｂさらに第２の導光体６ａ、第２の導光体６ｂ第２の導光体６ｃなどと同様に、屈折率が１．４〜１．７程度の透明なアクリル樹脂（ＰＭＭＡ）やポリカーボネート（ＰＣ）等でなり、【００８１】  副導光体４ａは、正面図６ａ１およびの断面図６ａ２ならびに断面図６ｂ２に示すように２つの入射端面部１４とこれら入射端面部１４の反対側方向に出射面１２を有し、出射面１２の反対側に出射面１２よりも小さい同形の裏面１３ｂまた���線状の裏面１３を有して、さらに出射面１２と入射面端面部１４とを外側の傾斜側面１６と、裏面１３と接続した内側の傾斜側面１５とで接続している。【００８２】  さらに、副導光体４ａは、図６ａ１の正面図に示すように副導光体４ａの中心部付近で１２０度に曲げられ３方向に伸びる出射面１２が略逆Ｖ字状の３つの側端部１１に分かれている。【００８３】  また、３方向に１２０度に曲げられ副導光体４ａは、略六角形の導光体２から組み合わせて成る平面照明装置１の場合には、隣り合う３つの略六角形の導光体２の各２辺９（側面部９）および各略六角形の導光体２の３つの入射部１０を網羅することができる。【００８４】  さらに、略三角形の導光体２ｂから組み合わせて成る平面照明装置１の場合には、隣り合う６つの略三角形の導光体２ｂの各１辺９（側面部９）が互いに向かい合う３つの組および隣り合う６つの略三角形の導光体２ｂの入射部１０を網羅することができる。【００８５】  また、ここで副導光体４ａおよび副導光体４ｂの光の軌跡を図７で説明する。
導光体２や導光体２ｂおよび第２の導光体６ａ、第２の導光体６ｂ、第２の導光体６ｃの表面部７（出射面）の端部からの出射光を副導光体４ａおよび副導光体４ｂの入射端面部１４から内部に侵入した光線ＬＳ１は、外側の傾斜側面１６や内側の傾斜側面１５で全反射を繰り返しながら出射面１２に到達し出射面１２から光線ＬＳ０を出射する。
尚、この副導光体４ａおよび副導光体４ｂにも出射面１２には、光偏向要素を施してある。【００８６】  このために、副導光体４ａによって隣り合う導光体２および導光体２ｂのギャップを隣り合う各導光体２や導光体２ｂからの出射光を導き、異なる発光色の出射光を混合して出射し、隣り合う導光体２や導光体２ｂのギャップを目立たなくすることができる。【００８７】  同様に副導光体４ｂは、正面図６ｂ１および断面図６ａ２並びに断面図６ｂ２に示すように、２つの入射端面部１４と、これら入射端面部１４の反対側方向に出射面１２を有し、出射面１２の反対側に出射面１２よりも小さい同形の裏面１３ｂまたは線状の裏面１３を有して、さらに出射面１２と入射端面部１４とを外側の傾斜側面１６と、裏面１３と接続した内側の傾斜側面１５とで接続している。【００８８】  さらに、副導光体４ｂは、図６ｂ１の正面図に示すように副導光体４ｂの中心部付近で１２０度に曲げられ２方向に伸びる出射面１２が略逆Ｖ字状の２つの側端部１１に分かれている。【００８９】  また、２方向に１２０度に曲げられ副導光体４ｂは、略六角形から組み合わせて成る平面照明装置１の場合には、隣り合う３つの略六角形の導光体２の１つの略六角形の導光体２の２辺９（側面部９）と他の２つの略六角形の導光体２の１辺９（側面部９）および各略六角形の導光体２の３つの入射部１０を網羅することができる。【００９０】  さらに、略三角形の導光体２ｂから組み合わせて成る平面照明装置１の場合には、隣り合う６つの略三角形の導光体２ｂの４つの各略三角形の導光体２ｂの１辺９（側面部９）および各略三角形の導光体２ｂの６つの入射部１０を網羅することができる。【００９１】  よって、副導光体４ｂによって隣り合う導光体２や導光体２ｂのギャップを隣り合う各導光体２や導光体２ｂからの出射光を導き、異なる発光色の出射光を混合して出射し、隣り合う導光体２や導光体２ｂのギャップを目立たなくすることができるとともに少ない部品エレメントで無限の広がりに構成組することができる。【００９２】  尚、ここでは図示していないが、副導光体４ａおよび副導光体４ｂの裏面１３，１３ｂには、反射性を有するように反射フィルムを貼たり、金属蒸着や銀色や白色のインクで塗布等を行い、副導光体４ａおよび副導光体４ｂの裏面１３，１３ｂ方向に進む光を出射面１２から出射するように反射する。
さらに、傾斜側面１５にも上記と同様に反射性を持たせても良い。【００９３】また、副導光板４ａ、４ｂに屈折率の異なる微細な粒子を混入させてもよい。
この屈折率の異なる微細な粒子によって副導光板４ａ、４ｂに入った光が屈折、反射等により、全体として散乱を起こすことによって輝度の向上及びＲ，Ｇ、Ｂ等の色光に対してよりよく混入することができ、例えばＲ、Ｇ、Ｂによる班の無い白色光を得ることができる。【００９４】  また、図１１に示すように導光体２、導光体２ｂおよび第２の導光体６ａ、第２の導光体６ｂ、第２の導光体６ｃならびに副導光体４ａ、副導光体４ｂを微小に湾曲させて、平面照明装置１の全体の姿が湾曲状になるようにする。
尚、ここの図１１では導光体２等の位置関係を分かりやすいように副導光体４ａ、副導光体４ｂ等を省いて描いている。【００９５】  このように平面照明装置１は、載置面に対して略直角に環状に放射する光源５を略六角形または略三角形の導光体２、２ｂの各頂点近傍に備え、これら各頂点位置に設けた入射部１０から光偏向要素を備えた表面部７から出射し、これら導光体２，２ｂおよび光源５からなる平面照明装置ユニット３を複数用いるとともに、導光体２，２ｂと同様に各頂点位置に設けた入射部１０ｂの近傍に光源５を備えた略台形や略三角形の第２の導光体６ａ、６ｂ、６ｃを複数用いて、大きな平面照明装置１を自由に構成することができ、さらに互いに隣り合う導光体２，２ｂや第２の導光体６ａ、６ｂ、６ｃの突き合わせた位置に副導光体４ａ、４ｂを設けて隣り合う導光体２，２ｂや第２の導光体６ａ、６ｂ、６ｃの境目を目立たなくする。
そのため導光体２，２ｂや第２の導光体６ａ、６ｂ、６ｃの大きさによる輝度や色調および色度等をコントロールすることができるとともに平面照明装置ユニット３の数量によって平面照明装置１の大きさを自由にでき、経済性や生産性に優れている。【００９６】  また、図９に示すように、平面照明装置１は、光源５を略六角形の導光体２の各頂点１０の位置（入射部１０）に赤色発光（Ｒ）、青色発光（Ｂ）、緑色発光（Ｇ）の各発光色の光源５で平面照明装置１全体の色温度を調整して配置する。【００９７】  なお、この時これら赤色発光（Ｒ）、青色発光（Ｂ）、緑色発光（Ｇ）の光源５を順に配置したり、略六角形の導光体２の各頂点１０の位置（入射部１０）に赤色発光、青色発光、緑色発光の各発光色が隣り合わせに成らない様に、緑色発光の光源を３つ、赤色発光の光源を２つ、青色発光の光源を１つになるように配置することによって、平面照明装置１全体の色温度を調整する。【００９８】  そのため、一般的な赤色発光、青色発光、緑色発光の光源を用いても白色としての色温度を８０００ケルビン程度にコントロールすることができるので、汎用性に優れコストの低減にも寄与することができ、実際の物の色調を忠実に再現することができる。【００９９】  ケースまたは反射体２０は、熱可塑性樹脂に例えば酸化チタンのような白色材料を混入した樹脂や熱可塑性樹脂にアルミニウム等の金属蒸着を施したり、金属箔を積層した物や金属等からなり、導光体２、２ｂや第２の導光体６ａ、６ｂ、６ｃなどからの漏れ光を反射または乱反射等をして再度導光体２、２ｂや第２の導光体６ａ、６ｂ、６ｃに戻す。【０１００】  また、ケース２０としては、強度を有したプラスチック等の樹脂やアルミダイキャスト等の金属などから形成することも可能である。【０１０１】  よって、入射部１０を各頂点位置に設けた略六角形または略三角形の導光体２、２ｂと、各頂点近傍に載置面に対して略直角に環状に放射する光源５を備え、表面部７から光偏向要素により出射する平面照明装置ユニット３を複数用い、さらに導光体２，２ｂと同様に略台形や略三角形の第２の導光体６ａ、６ｂ、６ｃの各頂点位置に設けた入射部１０ｂの近傍に光源５を複数用いて、大きな平面照明装置１を自由に構成し、さらに互いに隣り合う導光体２，２ｂや第２の導光体６ａ、６ｂ、６ｃの突き合わせた位置に副導光体４ａ、４ｂを設けて隣り合う導光体２，２ｂや第２の導光体６ａ、６ｂ、６ｃの境目を目立たなくするとともに光源５に赤色発光（Ｒ）、青色発光（Ｂ）、緑色発光（Ｇ）および白色発光の半導体発光素子を任意の位置に用いることによって、導光体２，２ｂや第２の導光体６ａ、６ｂ、６ｃの大きさによる輝度や色調および色度等をコントロールすることができるとともに平面照明装置ユニット３の数量によって平面照明装置１の大きさを自由にでき、実際の物の色調を忠実に再現することができるとともに汎用性があり経済性や生産性に優れている。
【産業上の利用可能性】
【０１０２】  平面照明装置ユニット等の構成によって汎用型から大型画面のサイズとともに高速動画、高精細、高輝度等の要求に対応することができる平面照明装置を提供することができる。
【図面の簡単な説明】
【０１０３】
【図１】本発明に係る平面照明装置の略斜視図である。
【図２】本発明に係る平面照明装置の略正面視図である。
【図３】本発明に係る導光体の略正面図である。
【図４】本発明に係る平面照明ユニットの略正面視図である。
【図５】本発明に係る平面照明ユニットの略断面図である。
【図６】本発明に係る副導光体の略正面図および略断面図である。
【図７】本発明に係る副導光体の略断面での光の軌跡である。
【図８】本発明に係る第２の導光体の略正面図である。
【図９】本発明に係る平面照明装置の略部分図である。
【図１０】本発明に係る平面照明装置の略略正面視図である。
【図１１】本発明に係る曲面照明装置の略正面視図である。
【符号の説明】
【０１０４】１        平面照明装置
２        導光体
２ｂ      導光体
３        平面照明ユニット
４ａ      副導光体
４ｂ      副導光体
５        光源
６ａ      第２の導光体
６ｂ      第２の導光体
６ｃ      第２の導光体
７        表面部
８        裏面部
９        辺または側面部
１０      入射部
１０ｂ    入射部
１１      側端部
１２      出射面
１３      裏面
１３ｂ    裏面
１４      入射端面部
１５      内側傾斜側面
１６      外側傾斜側面
１７      辺または側面部
１８      辺または側面部
１９      辺または側面部
２０      ケースまたは反射体
２１      外側傾斜面部
２２      内側傾斜面部
２３      円弧形状
γ        屈折角
α        臨界角
ｎ        屈折率
Ｌ０１    光線
Ｌ０２    光線
Ｌ０３    光線
ＬＳ１    光線
ＬＳ０    光線
【図１】
2006324224.tif 000003
【図２】
2006324224.tif 000004
【図３】
2006324224.tif 000005
【図４】
2006324224.tif 000006
【図５】
2006324224.tif 000007
【図６】
2006324224.tif 000008
【図７】
2006324224.tif 000009
【図８】
2006324224.tif 000010
【図９】
2006324224.tif 000011
【図１０】
2006324224.tif 000012
【図１１】
2006324224.tif 000013